(57)【特許請求の範囲】
【請求項１】
コアネットワーク側デバイスにより、ユーザ装置UEにより送信されたアソシエーション関係に従って、第１の専属ネットワーク識別子を生成するステップであり、前記アソシエーション関係は、前記UEと、前記UEとの接続関係を有する無線ルータとの間のアソシエーション関係であり、前記第１の専属ネットワーク識別子は、コアネットワークアカウントシステムに記憶されて前記アソシエーション関係を識別するために使用されるステップと、
前記コアネットワーク側デバイスにより、前記第１の専属ネットワーク識別子を前記UEに送信するステップと、
前記コアネットワーク側デバイスにより、前記UEにより送信されたサービス要求メッセージを受信するステップと、
前記コアネットワーク側デバイスにより、前記サービス要求メッセージ及び前記第１の専属ネットワーク識別子に従って、サービスを前記UEに割り当てるステップと
を含み、
前記サービス要求メッセージは、第２の専属ネットワーク識別子及び前記UEの要求サービスタイプを搬送し、
前記コアネットワーク側デバイスにより、前記サービス要求メッセージ及び前記第１の専属ネットワーク識別子に従って、サービスを前記UEに割り当てるステップは、
前記コアネットワーク側デバイスにより、前記第２の専属ネットワーク識別子が前記第１の専属ネットワーク識別子と同じであるか否かを検出するステップと、
前記第２の専属ネットワーク識別子が前記第１の専属ネットワーク識別子と同じである場合、前記コアネットワーク側デバイスにより、前記第２の専属ネットワーク識別子により識別された無線ルータに対応するサービスタイプを決定し、前記要求サービスタイプと、前記無線ルータに対応する前記サービスタイプとを照合するステップと、
前記照合が成功した場合、前記コアネットワーク側デバイスにより、前記要求サービスタイプに対応するサービスを前記UEに割り当てるステップと
を含むサービス割り当て方法。
【請求項２】
コアネットワーク側デバイスにより、ユーザ装置UEにより送信されたアソシエーション関係に従って、第１の専属ネットワーク識別子を生成するステップは、
前記コアネットワーク側デバイスにより、前記無線ルータのシリアル番号及び前記アソシエーション関係が存在する前記UEの識別子に従って、前記第１の専属ネットワーク識別子を生成するステップを含む、請求項１に記載の方法。
【請求項３】
前記コアネットワーク側デバイスにより、前記無線ルータのシリアル番号及び前記アソシエーション関係が存在する前記UEの識別子に従って、前記第１の専属ネットワーク識別子を生成するステップは、
１つの無線ルータが複数のUEに対応する場合、前記コアネットワーク側デバイスにより、組み合わせ識別子を生成するために、前記複数のUEの識別子を組み合わせ、前記組み合わせ識別子と前記無線ルータの前記シリアル番号とを組み合わせるステップを含む、請求項２に記載の方法。
【請求項４】
前記コアネットワーク側デバイスにより、前記無線ルータのシリアル番号及び前記アソシエーション関係が存在する前記UEの識別子に従って、前記第１の専属ネットワーク識別子を生成するステップは、
前記第１の専属ネットワーク識別子を生成するために、最下位ビットから最上位ビットへ或いは最上位ビットから最下位ビットへの順序で前記無線ルータの前記シリアル番号と前記UEの前記識別子とを組み合わせるステップを含む、請求項２に記載の方法。
【請求項５】
前記コアネットワーク側デバイスは、ポリシー及び課金ルール機能PCRFユニット又は認証、許可、アカウンティングAAAサーバである、請求項１乃４のうちいずれか１項に記載の方法。
【請求項６】
ユーザ装置UEにより送信されたアソシエーション関係に従って、第１の専属ネットワーク識別子を生成するように構成された生成モジュールであり、前記アソシエーション関係は、前記UEと、前記UEとの接続関係を有する無線ルータとの間のアソシエーション関係であり、前記第１の専属ネットワーク識別子は、コアネットワークアカウントシステムに記憶されて前記アソシエーション関係を識別するために使用される生成モジュールと、
前記第１の専属ネットワーク識別子を前記UEに送信するように構成された送信モジュールと、
前記UEにより送信されたサービス要求メッセージを受信するように構成された受信モジュールと、
前記サービス要求メッセージ及び前記第１の専属ネットワーク識別子に従って、サービスを前記UEに割り当てるように構成された割り当てモジュールと
を含み、
前記サービス要求メッセージは、第２の専属ネットワーク識別子及び前記UEの要求サービスタイプを搬送し、
前記割り当てモジュールは、
前記第２の専属ネットワーク識別子が前記第１の専属ネットワーク識別子と同じであるか否かを検出し、
前記第２の専属ネットワーク識別子が前記第１の専属ネットワーク識別子と同じである場合、前記第２の専属ネットワーク識別子により識別された無線ルータに対応するサービスタイプを決定し、前記要求サービスタイプと、前記無線ルータに対応する前記サービスタイプとを照合し、
前記照合が成功した場合、前記要求サービスタイプに対応するサービスを前記UEに割り当てるように構成されるサービス割り当て装置。
【請求項７】
前記生成モジュールは、前記無線ルータのシリアル番号及び前記アソシエーション関係が存在する前記UEの識別子に従って、前記第１の専属ネットワーク識別子を生成するように構成される、請求項６に記載の装置。
【請求項８】
前記生成モジュールは、１つの無線ルータが複数のUEに対応する場合、組み合わせ識別子を生成するために、前記複数のUEの識別子を組み合わせ、前記組み合わせ識別子と前記無線ルータの前記シリアル番号とを組み合わせるように構成される、請求項７に記載の装置。
【請求項９】
前記生成モジュールは、前記第１の専属ネットワーク識別子を生成するために、最下位ビットから最上位ビットへ或いは最上位ビットから最下位ビットへの順序で前記無線ルータの前記シリアル番号と前記UEの前記識別子とを組み合わせるように構成される、請求項７に記載の装置。
【請求項１０】
コアネットワーク側デバイスは、ポリシー及び課金ルール機能PCRFユニット又は認証、許可、アカウンティングAAAサーバである、請求項６乃至９のうちいずれか１項に記載の装置。
【請求項１１】
ユーザ装置UEにより送信されたアソシエーション関係に従って、第１の専属ネットワーク識別子を生成するように構成されたプロセッサであり、前記アソシエーション関係は、前記UEと、前記UEとの接続関係を有する無線ルータとの間のアソシエーション関係であり、前記第１の専属ネットワーク識別子は、コアネットワークアカウントシステムに記憶されて前記アソシエーション関係を識別するために使用されるプロセッサと、
前記第１の専属ネットワーク識別子を前記UEに送信するように構成された送信機と、
前記UEにより送信されたサービス要求メッセージを受信するように構成された受信機と
を含み、
前記プロセッサは、前記サービス要求メッセージ及び前記第１の専属ネットワーク識別子に従って、サービスを前記UEに割り当てるように更に構成され、
前記サービス要求メッセージは、第２の専属ネットワーク識別子及び前記UEの要求サービスタイプを搬送し、
前記プロセッサは、
前記第２の専属ネットワーク識別子が前記第１の専属ネットワーク識別子と同じであるか否かを検出し、
前記第２の専属ネットワーク識別子が前記第１の専属ネットワーク識別子と同じである場合、前記第２の専属ネットワーク識別子により識別された無線ルータに対応するサービスタイプを決定し、前記要求サービスタイプと、前記無線ルータに対応する前記サービスタイプとを照合し、
前記照合が成功した場合、前記要求サービスタイプに対応するサービスを前記UEに割り当てるように構成されるサービス割り当て装置。
【請求項１２】
前記プロセッサは、前記無線ルータのシリアル番号及び前記アソシエーション関係が存在する前記UEの識別子に従って、前記第１の専属ネットワーク識別子を生成するように構成される、請求項１１に記載の装置。
【請求項１３】
前記プロセッサは、１つの無線ルータが複数のUEに対応する場合、組み合わせ識別子を生成するために、前記複数のUEの識別子を組み合わせ、前記組み合わせ識別子と前記無線ルータの前記シリアル番号とを組み合わせるように構成される、請求項１２に記載の装置。
【請求項１４】
前記プロセッサは、前記第１の専属ネットワーク識別子を生成するために、最下位ビットから最上位ビットへ或いは最上位ビットから最下位ビットへの順序で前記無線ルータの前記シリアル番号と前記UEの前記識別子とを組み合わせるように構成される、請求項１２に記載の装置。
【請求項１５】
コアネットワーク側デバイスは、ポリシー及び課金ルール機能PCRFユニット又は認証、許可、アカウンティングAAAサーバである、請求項１１乃至１４のうちいずれか１項に記載の装置。
【請求項１６】
コンピュータに請求項１乃至５のうちいずれか１項に記載の方法を実行させるプログラムを記録したコンピュータ読み取り可能記憶媒体。
【請求項１７】
コンピュータに請求項１乃至５のうちいずれか１項に記載の方法を実行させるプログラム。
【発明の詳細な説明】
【技術分野】
【０００１】
本発明の実施例は、通信技術に関し、特にサービス割り当て方法及び装置に関する。
【背景技術】
【０００２】
現在、電気通信オペレータにより提供されるモバイルネットワークのカバレッジエリアは限られている。ネットワークのカバレッジエリアを拡大するために、モバイルネットワーク及び無線ローカルエリアネットワーク（Wireless  Local  Area  Networks、略称WLAN）の融合が通信業界の必然的なトレンドになっている。
【０００３】
WLANは、電気通信オペレータとWLANプロバイダとの間の連携関係に基づいて「信頼されたネットワーク」と「信頼されていないネットワーク」とに分類され得る。一般的に、電気通信オペレータとWLANプロバイダとの間の直接の連携関係を確立することが困難である場合、WLANプロバイダにより提供されるWLANは、「信頼されていないネットワーク」に分類され得る。ユーザ装置（User  Equipment、略称UE）との長期の接続関係を有する「信頼されていないネットワーク」は、「専属ネットワーク」と呼ばれる。電気通信オペレータは、専属ネットワーク内の無線ルータをモバイルネットワークのコアネットワーク側に接続し得る。このように、一方で、電気通信オペレータは、専属ネットワークのトラヒックをより明確に見ることができ、他方で、ユーザ装置は、専属ネットワーク上でコアネットワークのサービスにアクセスすることが可能になる。
【０００４】
しかし、従来技術は以下の問題を有する。電気通信オペレータは、専属ネットワーク内でUEのためにターゲットを絞ったアプリケーションサービスを提供することができず、したがって、ユーザ体験が低下する。
【発明の概要】
【０００５】
本発明の実施例は、電気通信オペレータが専属ネットワーク内でUEのためにターゲットを絞ったアプリケーションサービスを提供することができ、これによりユーザ体験を向上させるような、サービス割り当て方法及びコアネットワーク側デバイスを提供する。
【０００６】
第１の態様によれば、本発明の実施例は、サービス割り当て方法を提供し、コアネットワーク側デバイスにより、ユーザ装置UEにより送信されたアソシエーション関係に従って、第１の専属ネットワーク識別子を生成するステップであり、アソシエーション関係は、UEと無線ルータとの間のアソシエーション関係であり、第１の専属ネットワーク識別子は、コアネットワークアカウントシステムに記憶されてアソシエーション関係を識別するために使用されるステップと、コアネットワーク側デバイスにより、第１の専属ネットワーク識別子をUEに送信するステップと、コアネットワーク側デバイスにより、UEにより送信されたサービス要求メッセージを受信するステップと、コアネットワーク側デバイスにより、サービス要求メッセージ及び第１の専属ネットワーク識別子に従って、サービスをUEに割り当てるステップとを含む。
【０００７】
第１の態様を参照して、第１の態様の第１の可能な実現方式では、コアネットワーク側デバイスにより、ユーザ装置UEにより送信されたアソシエーション関係に従って、第１の専属ネットワーク識別子を生成するステップは、コアネットワーク側デバイスにより、無線ルータのシリアル番号及びアソシエーション関係が存在するUEの識別子に従って、第１の専属ネットワーク識別子を生成するステップを具体的に含む。
【０００８】
第１の態様の第１の可能な実現方式を参照して、第１の態様の第２の可能な実現方式では、コアネットワーク側デバイスにより、無線ルータのシリアル番号及びアソシエーション関係が存在するUEの識別子に従って、第１の専属ネットワーク識別子を生成するステップは、１つの無線ルータが複数のUEに対応する場合、コアネットワーク側デバイスにより、組み合わせ識別子を生成するために、複数のUEの識別子を組み合わせ、組み合わせ識別子と無線ルータのシリアル番号とを組み合わせるステップを具体的に含む。
【０００９】
第１の態様の第１の可能な実現方式を参照して、第１の態様の第３の可能な実現方式では、コアネットワーク側デバイスにより、無線ルータのシリアル番号及びアソシエーション関係が存在するUEの識別子に従って、第１の専属ネットワーク識別子を生成するステップは、第１の専属ネットワーク識別子を生成するために、最下位ビットから最上位ビットへ或いは最上位ビットから最下位ビットへの順序で無線ルータのシリアル番号とUEの識別子とを組み合わせるステップを具体的に含む。
【００１０】
第１の態様又は第１の態様の第１の可能な実現方式若しくは第２の可能な実現方式若しくは第３の可能な実現方式を参照して、第１の態様の第４の可能な実現方式では、サービス要求メッセージは、第２の専属ネットワーク識別子及びUEの要求サービスタイプを搬送し、コアネットワーク側デバイスにより、サービス要求メッセージ及び第１の専属ネットワーク識別子に従って、サービスをUEに割り当てるステップは、コアネットワーク側デバイスにより、第２の専属ネットワーク識別子が第１の専属ネットワーク識別子と同じであるか否かを検出するステップと、第２の専属ネットワーク識別子が第１の専属ネットワーク識別子と同じである場合、コアネットワーク側デバイスにより、第２の専属ネットワーク識別子により識別された無線ルータに対応するサービスタイプを決定し、要求サービスタイプと、無線ルータに対応するサービスタイプとを照合するステップと、照合が成功した場合、コアネットワーク側デバイスにより、要求サービスタイプに対応するサービスをUEに割り当てるステップとを具体的に含む。
【００１１】
第１の態様又は第１の態様の第１の可能な実現方式若しくは第２の可能な実現方式若しくは第３の可能な実現方式若しくは第４の可能な実現方式を参照して、第１の態様の第５の可能な実現方式では、コアネットワーク側デバイスは、ポリシー及び課金ルール機能ユニットPCRF又は認証、許可、アカウンティングAAAサーバである。
【００１２】
第２の態様によれば、本発明の実施例は、サービス割り当て装置を提供し、ユーザ装置UEにより送信されたアソシエーション関係に従って、第１の専属ネットワーク識別子を生成するように構成された生成モジュールであり、アソシエーション関係は、UEと無線ルータとの間のアソシエーション関係であり、第１の専属ネットワーク識別子は、コアネットワークアカウントシステムに記憶されてアソシエーション関係を識別するために使用される生成モジュールと、第１の専属ネットワーク識別子をUEに送信するように構成された送信モジュールと、UEにより送信されたサービス要求メッセージを受信するように構成された受信モジュールと、サービス要求メッセージ及び第１の専属ネットワーク識別子に従って、サービスをUEに割り当てるように構成された割り当てモジュールとを含む。
【００１３】
第２の態様を参照して、第２の態様の第１の可能な実現方式では、生成モジュールは、無線ルータのシリアル番号及びアソシエーション関係が存在するUEの識別子に従って、第１の専属ネットワーク識別子を生成するように具体的に構成される。
【００１４】
第２の態様の第１の可能な実現方式を参照して、第２の態様の第２の可能な実現方式では、生成モジュールは、１つの無線ルータが複数のUEに対応する場合、組み合わせ識別子を生成するために、複数のUEの識別子を組み合わせ、組み合わせ識別子と無線ルータのシリアル番号とを組み合わせるように具体的に構成される。
【００１５】
第２の態様の第１の可能な実現方式を参照して、第２の態様の第３の可能な実現方式では、生成モジュールは、第１の専属ネットワーク識別子を生成するために、最下位ビットから最上位ビットへ或いは最上位ビットから最下位ビットへの順序で無線ルータのシリアル番号とUEの識別子とを組み合わせるように具体的に構成される。
【００１６】
第２の態様又は第２の態様の第１の可能な実現方式若しくは第２の可能な実現方式若しくは第３の可能な実現方式を参照して、第２の態様の第４の可能な実現方式では、サービス要求メッセージは、第２の専属ネットワーク識別子及びUEの要求サービスタイプを搬送し、割り当てモジュールは、第２の専属ネットワーク識別子が第１の専属ネットワーク識別子と同じであるか否かを検出し、第２の専属ネットワーク識別子が第１の専属ネットワーク識別子と同じである場合、第２の専属ネットワーク識別子により識別された無線ルータに対応するサービスタイプを決定し、要求サービスタイプと、無線ルータに対応するサービスタイプとを照合し、照合が成功した場合、要求サービスタイプに対応するサービスをUEに割り当てるように具体的に構成される。
【００１７】
第２の態様又は第２の態様の第１の可能な実現方式若しくは第２の可能な実現方式若しくは第３の可能な実現方式若しくは第４の可能な実現方式を参照して、第２の態様の第５の可能な実現方式では、コアネットワーク側デバイスは、ポリシー及び課金ルール機能ユニットPCRF又は認証、許可、アカウンティングAAAサーバである。
【００１８】
第３の態様によれば、本発明の実施例は、サービス割り当て装置を提供し、ユーザ装置UEにより送信されたアソシエーション関係に従って、第１の専属ネットワーク識別子を生成するように構成されたプロセッサであり、アソシエーション関係は、UEと無線ルータとの間のアソシエーション関係であり、第１の専属ネットワーク識別子は、コアネットワークアカウントシステムに記憶されてアソシエーション関係を識別するために使用されるプロセッサと、第１の専属ネットワーク識別子をUEに送信するように構成された送信機と、UEにより送信されたサービス要求メッセージを受信するように構成された受信機とを含み、プロセッサは、サービス要求メッセージ及び第１の専属ネットワーク識別子に従って、サービスをUEに割り当てるように更に構成される。
【００１９】
第３の態様を参照して、第３の態様の第１の可能な実現方式では、プロセッサは、無線ルータのシリアル番号及びアソシエーション関係が存在するUEの識別子に従って、第１の専属ネットワーク識別子を生成するように具体的に構成される。
【００２０】
第３の態様の第１の可能な実現方式を参照して、第３の態様の第２の可能な実現方式では、プロセッサは、１つの無線ルータが複数のUEに対応する場合、組み合わせ識別子を生成するために、複数のUEの識別子を組み合わせ、組み合わせ識別子と無線ルータのシリアル番号とを組み合わせるように具体的に構成される。
【００２１】
第３の態様の第１の可能な実現方式を参照して、第３の態様の第３の可能な実現方式では、プロセッサは、第１の専属ネットワーク識別子を生成するために、最下位ビットから最上位ビットへ或いは最上位ビットから最下位ビットへの順序で無線ルータのシリアル番号とUEの識別子とを組み合わせるように具体的に構成される。
【００２２】
第３の態様又は第３の態様の第１の可能な実現方式若しくは第２の可能な実現方式若しくは第３の可能な実現方式を参照して、第３の態様の第４の可能な実現方式では、サービス要求メッセージは、第２の専属ネットワーク識別子及びUEの要求サービスタイプを搬送し、プロセッサは、第２の専属ネットワーク識別子が第１の専属ネットワーク識別子と同じであるか否かを検出し、第２の専属ネットワーク識別子が第１の専属ネットワーク識別子と同じである場合、第２の専属ネットワーク識別子により識別された無線ルータに対応するサービスタイプを決定し、要求サービスタイプと、無線ルータに対応するサービスタイプとを照合し、照合が成功した場合、要求サービスタイプに対応するサービスをUEに割り当てるように具体的に構成される。
【００２３】
第３の態様又は第３の態様の第１の可能な実現方式若しくは第２の可能な実現方式若しくは第３の可能な実現方式若しくは第４の可能な実現方式を参照して、第３の態様の第５の可能な実現方式では、コアネットワーク側デバイスは、ポリシー及び課金ルール機能ユニットPCRF又は認証、許可、アカウンティングAAAサーバである。
【００２４】
本発明の実施例は、サービス割り当て方法及び装置を提供する。この方法は、コアネットワーク側デバイスにより、ユーザ装置UEにより送信されたアソシエーション関係に従って、第１の専属ネットワーク識別子を生成するステップであり、第１の専属ネットワーク識別子は、コアネットワークアカウントシステムに記憶されてアソシエーション関係を識別するために使用されるステップと、コアネットワーク側デバイスにより、第１の専属ネットワーク識別子をUEに送信するステップと、コアネットワーク側デバイスにより、UEにより送信されたサービス要求メッセージを受信するステップと、最終的に、コアネットワーク側デバイスにより、サービス要求メッセージ及び第１の専属ネットワーク識別子に従って、サービスをUEに割り当てるステップとを含む。このように、電気通信オペレータは、専属ネットワーク内でUEのためにターゲットを絞ったアプリケーションサービス及び料金ポリシーを提供することができる。
【図面の簡単な説明】
【００２５】
本発明の実施例又は従来技術における技術的解決策をより明確に説明するために、以下に、実施例又は従来技術を説明するために必要な添付図面を簡単に説明する。明らかに、以下の説明における添付図面は、本発明の単にいくつかの実施例を示しているに過ぎず、当業者は、創造的取り組みなしに依然としてこれらの添付図面から他の図面を導き得る。
【図１】本発明に従ってWLANがコアネットワーク側にアクセスするネットワークアーキテクチャの概略図である。
【図２】本発明によるユーザ装置UEの概略構成図である。
【図３】本発明の実施例によるサービス割り当て方法のフローチャートである。
【図４】本発明の他の実施例によるサービス割り当て方法のフローチャートである。
【図５】本発明の実施例によるサービス割り当て装置の概略構成図である。
【図６】本発明の実施例によるサービス割り当て装置の概略構成図である。
【発明を実施するための形態】
【００２６】
以下に、本発明の実施例における添付図面を参照して本発明の実施例における技術的解決策を明確且つ完全に説明する。明らかに、説明する実施例は、本発明の実施例の全てではなく、単なる一部である。創造的取り組みなしに本発明の実施例に基づいて当業者により得られる全ての他の実施例は、本発明の保護範囲内に入るものとする。
【００２７】
図１は、本発明に従ってWLANがコアネットワーク側にアクセスするネットワークアーキテクチャの概略図である。図１に示すように、コアネットワーク側デバイスは、ホーム加入者サーバ（Home  Subscriber  Server、略称HSS）、認証、許可、アカウンティング（Authentication,  Authorization,  Accounting、略称AAA）サーバ、パケットデータネットワーク（Packet  Data  Network、略称PDN）ゲートウェイ、進化型パケットデータゲートウェイ（Evolved  Packet  Data  Gateway、略称ePDG）、ポリシー及び課金ルール機能ユニット（Policy  and  Charging  Rules  Function、略称PCRF）等を主に含む。HSSは、ネットワークユーザのデータベースである。これは、ユーザプロファイルを含む。HSSは、ユーザアイデンティティ認証及び許可を実行し、ユーザの地理的位置に関する情報を提供してもよい。AAAサーバは、ユーザアイデンティティ及び使用可能なネットワークサービスを認証し、認証結果に従ってネットワークサービスをユーザに許可し、ユーザによる異なるネットワークサービスの使用を記録し、記録された使用を課金システムのために提供するように主に構成される。現在、AAAサーバと連携するネットワーク接続サーバインタフェースは、リモート認証ダイヤルインユーザサービス（Remote  Authentication  Dial  In  User  Service、略称RADIUS）サーバである。PDNゲートウェイは、外部パケットデータネットワークに接続するためのインタフェースを提供するように構成される。PDNゲートウェイは、ユーザデータパケットのフィルタリング、合法の傍受及びデータパケットのスクリーニングを実現する。さらに、データ交換のコアのコンポーネントとしてのPDNゲートウェイは、第３世代パートナーシッププロジェクト（3rd  Generation  Partnership  Project、略称3GPP）ネットワークと非3GPPネットワークとの間のデータ交換を担う。ePDGの主な機能は、信頼されていない非3GPPアクセスネットワークがデータ伝送のために進化型コアネットワーク（Evolved  Packet  Core、略称EPC）に接続されることを確保することである。PCRFは、ユーザ及びサービスのサービス品質（Quality  of  Service、略称QoS）を制御し、サービスフローのベアラリソース保証及び課金ポリシーを提供するように主に構成され、これにより、分類されたユーザ及びサービスに基づいて精細なサービス制御及び課金を実現する。
【００２８】
図２は、本発明によるユーザ装置UEの概略構成図である。図２に示すように、ユーザ装置は、入力ユニット、記憶ユニット、プロセッサユニット、通信ユニット、出力ユニット、周辺機器インタフェース及び電源のようなコンポーネントを含む。
【００２９】
入力ユニットは、入力された数字又は文字情報を受信し、ユーザ装置のユーザ設定及び機能制御に関するキー信号入力を生成するように構成されてもよい。
【００３０】
記憶ユニットは、ソフトウェアプログラム及びモジュールを記憶するように構成されてもよく、プロセッサユニットは、記憶ユニットに記憶されたソフトウェアプログラム及びモジュールを実行することにより、ユーザ装置の異なる機能アプリケーション及びデータ処理を実行する。
【００３１】
通信ユニットは、無線周波数（Radio  Frequency、RF）回路でもよい。RF回路は、情報送受信処理又は呼処理において信号を受信及び送信するように構成されてもよい。一般的に、RF回路は、アンテナ、少なくとも１つの増幅器、送受信機、カプラ、低雑音増幅器（Low  Noise  Amplifier、LNA）、デュプレクサ等を含むが、これらに限定されない。
【００３２】
出力ユニットは、ユーザにより入力された情報又はユーザのために提供される情報、及びユーザ装置の異なるメニューを表示するように構成されてもよい。出力ユニットは、表示パネルを更に含んでもよい。任意選択で、表示パネルは、液晶ディスプレイ（Liquid  Crystal  Display、LCD）、有機発光ダイオード（Organic  Light-Emitting  Diode、OLED）等の形式で構成されてもよい。
【００３３】
ユーザ装置の周辺機器インタフェースは、オーディオ回路、スピーカ及びマイクロフォンのようなインタフェースでもよい。ユーザ装置は、電力を各部分に供給する電源（電池等）を更に含む。好ましくは、電源は、電力管理システムを使用することにより、プロセッサユニットに論理的に接続されてもよく、これにより、充電及び放電管理並びに電力消費管理のような機能が電力管理システムを使用することにより実現される。
【００３４】
前述のコンポーネントは、１つ以上のバスを使用することにより通信を実行する。本発明のこの実施例では、UEは、ユーザが無線ネットワークシステムと通信を実行するモバイル又はポータブル電子デバイスである。UEは、モバイル電話、モバイルコンピュータ、タブレット、パーソナルデジタルアシスタント、前述の２つ以上の項目の組み合わせ等を含むが、これらに限定されない。
【００３５】
一般的に、WLANでは、ユーザ装置（User  Equipment、略称UE）との長期の接続関係を有する「信頼されていないネットワーク」は、「専属ネットワーク」と呼ばれる。本発明は、以下のシナリオに特に当てはまる。UEの専属ネットワークへのアクセスのため、電気通信オペレータからのアクセスネットワークへの投資が減少し、したがって、電気通信オペレータが専属ネットワーク内でUEのためにいくつかのターゲットを絞ったサービス及び優遇の料金ポリシーを提供する可能性があり、電気通信オペレータが専属ネットワーク内でアソシエーション関係を有する無線ルータ及びUEを決定することが必要である。したがって、どのように電気通信オペレータにより専属ネットワーク内で各ユーザ装置UEのために特徴のあるサービス及び料金ポリシーを提供するかが、解決すべき問題になる。
【００３６】
図３は、本発明の実施例によるサービス割り当て方法のフローチャートである。この方法は、コアネットワーク側デバイスにより実行され、これは、コアネットワーク側のポリシー及び課金ルール機能ユニット（Policy  and  Charging  Rules  Function、略称PCRF）、認証、許可、アカウンティング（Authentication,  Authorization,  Accounting、略称AAA）サーバ等でもよい。サービス割り当て方法の具体的な処理は以下の通りである。
【００３７】
S301.コアネットワーク側デバイスは、ユーザ装置UEにより送信されたアソシエーション関係に従って、第１の専属ネットワーク識別子を生成し、アソシエーション関係は、UEと無線ルータとの間のアソシエーション関係であり、第１の専属ネットワーク識別子は、コアネットワークアカウントシステムに記憶されてアソシエーション関係を識別するために使用される。
【００３８】
具体的には、無線ルータは、UEの専属ネットワークと１対１の対応にある。したがって、無線ルータは、専属ネットワークデバイスと呼ばれてもよい。明らかに、ここでの専属ネットワークデバイスはまた、ポータブル無線ホットスポットデバイス等でもよい。ここでのコアネットワーク側デバイス及び無線ルータは、それぞれモバイルネットワーク及び無線ネットワーク内でUEのためにサービスを提供する。本発明のこの実施例では、コアネットワーク側デバイスは、UEと無線ルータとの間のアソシエーション関係に従って、第１の専属ネットワーク識別子を生成し、この第１の専属ネットワーク識別子を使用することにより、異なる無線ルータ及びアソシエーション関係と区別する。第１の専属ネットワーク識別子は、無線ルータと１対１の対応にあるため、特徴のあるサービス及び料金ポリシーが、無線ルータの第１の専属ネットワーク識別子に従って、対応する専属ネットワーク内でUEのために提供されることができる。
【００３９】
さらに、第１の場合、１人のユーザは、無線ルータにアクセスする必要がある複数のユーザ装置UEを有してもよく、すなわち、無線ルータ及びUEは１対多の関係にある。第２の場合、１つのユーザ装置UEは、複数の無線ルータにアクセスしてもよく、すなわち、無線ルータ及びUEは、多対１の関係にある。第３の場合、無線ルータ及びUEは、１対１の関係にある。コアネットワーク側デバイスがユーザ装置UEにより送信された「ユーザ専属ネットワーク追加要求メッセージ」を受信した後に、コアネットワーク側デバイスは、コアネットワークアカウントシステム内に第１の専属ネットワーク識別子を生成する。
【００４０】
前述の３つの場合に従って、さらに、第１の専属ネットワーク識別子を生成するための方法は、以下の３つの場合でもよい。
【００４１】
第１の場合：無線ルータ及びUEが１対多の関係にある場合、各無線ルータは一意のシリアル番号に対応するため、コアネットワーク側デバイスは、同じシリアル番号を送信するUEについての統計を収集し、次に、組み合わせ識別子を生成するために、これらのUEの識別子を組み合わせ、最終的に、組み合わせ識別子と無線ルータのシリアル番号とを再び組み合わせてもよい。例えば、シリアル番号1を有する無線ルータが２つのUEに対応し、２つのUEの識別子がそれぞれそれらの電話番号：13000000000及び13000000001である。この場合、生成された組み合わせ識別子は、1300000000013000000001でもよい。最終的に、組み合わせ識別子及び無線ルータのシリアル番号1が13000000000130000000011に再び組み合わされる。明らかに、この場合に第１の専属ネットワーク識別子を生成するための方法は、これに限定されない。
【００４２】
第２の場合：無線ルータ及びUEが多対１の関係にある場合、無線ルータのシリアル番号は一意であるため、各無線ルータに対応する第１の専属ネットワーク識別子は、UEの識別子と無線ルータのシリアル番号とを組み合わせることにより生成されることができ、これにより、無線ルータとUEとのバインディングを実現する。例えば、無線ルータのシリアル番号及びUEの識別子は、第１の専属ネットワーク識別子を生成するために、最下位ビットから最上位ビットへ或いは最上位ビットから最下位ビットへの順序で組み合わされる。例えば、UEが３つの無線ルータに対応し、それらのシリアル番号がそれぞれ1、2及び3である。ここで、UEがモバイル電話であり、UEの識別子がモバイル電話番号13000000000であると仮定される。無線ルータのシリアル番号及びUEの識別子は、最下位ビットから最上位ビットへの順序で組み合わされる。３つの無線ルータにそれぞれ対応する最終的に形成された第１の専属ネットワーク識別子は、130000000001、130000000002及び130000000003である。或いは、無線ルータのシリアル番号及びUEの識別子は、最上位ビットから最下位ビットへの順序で組み合わされる。３つの無線ルータにそれぞれ対応する最終的に形成された第１の専属ネットワーク識別子は、113000000000、213000000000及び313000000000である。明らかに、ここでのUEの識別子はまた、その対応する国際移動体加入者識別番号（International  Mobile  Subscriber  Identity、略称IMSI）でもよい。
【００４３】
第３の場合：無線ルータ及びUEは１対１の関係にある。第２の場合の方法に類似した生成方法が使用されてもよく、すなわち、UEの識別子及び無線ルータのシリアル番号が組み合わされる。例えば、UEの識別子が13000000000であり、無線ルータのシリアル番号が1である。したがって、生成された第１の専属ネットワーク識別子は130000000001でもよく、或いは113000000000でもよい。
【００４４】
第１の専属ネットワーク識別子を生成するための前述の方法は、以下の４つのルールが満たされるという条件で、これらに限定されない。
【００４５】
1.一意性：各無線ルータは、一意の第１の専属ネットワーク識別子を有する。同様に、コアネットワーク側デバイスは、第１の専属ネットワーク識別子を１つのみの無線ルータに割り当てる。
【００４６】
2.関連性：第１の専属ネットワーク識別子の生成は、UEの識別子に関連する必要がある。第１の専属ネットワーク識別子に関連するUEの識別子は、第１の専属ネットワーク識別子から導出されてもよく、対応する第１の専属ネットワーク識別子は、コアネットワークアカウントシステム内でUEの識別子に従って問い合わされてもよい。
【００４７】
3.機密性／偽造防止性：第１の専属ネットワーク識別子の生成は、識別子が改ざん又は想定されるのを妨げるために、識別子の信憑性を確保する必要がある。
【００４８】
4.保守性：変更及び削除のような操作は、UEにより送信される要求メッセージに従って、第１の専属ネットワーク識別子に対して実行されてもよい。
【００４９】
S302.コアネットワーク側デバイスは、第１の専属ネットワーク識別子をUEに送信する。
【００５０】
具体的には、UEは複数の無線ルータとアソシエーション関係にあってもよいため、或いは１つのみの無線ルータとアソシエーション関係にあってもよいため、UEは、いずれの場合にも拘わらず、少なくとも１つの第１の専属ネットワーク識別子に対応してもよい。UEがサービス要求メッセージをコアネットワーク側デバイスに送信した場合、コアネットワーク側デバイスが第１の専属ネットワーク識別子を生成すると、コアネットワーク側デバイスは、識別子をUEに送信する必要があり、これにより、コアネットワーク側デバイスは、どの特定の無線ルータにUEが現在接続しているかを習得する。
【００５１】
S303.コアネットワーク側デバイスは、UEにより送信されたサービス要求メッセージを受信する。
【００５２】
S304.コアネットワーク側デバイスは、サービス要求メッセージ及び第１の専属ネットワーク識別子に従って、サービスをUEに割り当てる。
【００５３】
具体的には、コアネットワーク側デバイスは、生成された第１の専属ネットワーク識別子を対応する無線ルータに割り当てる。第１の専属ネットワーク識別子は、無線ルータに一意である。例えば、１つのUEが３つの専属ネットワークに対応し、それらのシリアル番号がそれぞれ1、2及び3である。各専属ネットワーク内の無線ルータは、一意の第１の専属ネットワーク識別子に対応する。したがって、コアネットワーク側デバイスは、第１のネットワーク識別子に従って無線ルータを区別し、さらに、無線ルータに対応するUEにターゲットを絞ったサービスを割り当ててもよい。例えば、モバイルネットワーク内のUEの音声サービスのためにコアネットワーク側デバイスにより提供される料金ポリシーが毎分0.1元である。コアネットワーク側デバイスは、無線ルータの第１の専属ネットワーク識別子を認識しているため、コアネットワーク側デバイスは、第１の専属ネットワーク識別子に従って、専属ネットワーク内のUEのために毎分0.03元の料金ポリシーの音声サービスを提供してもよい。明らかに、コアネットワーク側デバイスは、サービス要求メッセージ及び第１の専属ネットワーク識別子を参照してサービスをUEに割り当てる。サービス要求メッセージを参照して、２つの項目、すなわち、1.UEが有効なUEであるか否か、すなわち、UEが無線デバイスとアソシエーション関係にあるか否か、2.UEが有効であっても、コアネットワーク側デバイスがUEのためにUEにより要求されたサービスを提供することができるか否かを検出してもよい。
【００５４】
本発明のこの実施例は、サービス割り当て方法を提供する。この方法は、コアネットワーク側デバイスにより、ユーザ装置UEにより送信されたアソシエーション関係に従って、第１の専属ネットワーク識別子を生成するステップであり、第１の専属ネットワーク識別子は、コアネットワークアカウントシステムに記憶されてアソシエーション関係を識別するために使用されるステップと、コアネットワーク側デバイスにより、第１の専属ネットワーク識別子をUEに送信するステップと、コアネットワーク側デバイスにより、UEにより送信されたサービス要求メッセージを受信するステップと、最終的に、コアネットワーク側デバイスにより、サービス要求メッセージ及び第１の専属ネットワーク識別子に従って、サービスをUEに割り当てるステップとを含む。各無線ルータが一意の第１の専属ネットワーク識別子を有するため、コアネットワーク側デバイスは、第１の専属ネットワーク識別子に従って、各無線ルータに対応するUEのためにターゲットを絞ったサービス及び料金ポリシーを提供することができる。
【００５５】
図４は、本発明の他の実施例によるサービス割り当て方法のフローチャートである。この実施例は、前述の実施例におけるステップS304を更に詳細化する。サービス要求メッセージは、第２の専属ネットワーク識別子及びUEの要求サービスタイプを搬送する。したがって、この方法は以下の手順を具体的に含む。
【００５６】
S401.コアネットワーク側デバイスは、第２の専属ネットワーク識別子が第１の専属ネットワーク識別子と同じであるか否かを検出する。
【００５７】
具体的には、UEにより送信された専属ネットワーク識別子は、ここでは第２の専属ネットワーク識別子と呼ばれる。第２の専属ネットワーク識別子及び第１の専属ネットワーク識別子は同じでもよく、或いは異なってもよい。さらに、第２の専属ネットワーク識別子を送信する前に、UEは、まず専属ネットワークにアクセスし、次に、UE及びコアネットワーク側デバイスは、インターネットプロトコルセキュリティ（Internet  Protocol  Security、略称IPSec）に基づく仮想プライベートネットワーク（Virtual  Private  Network、略称VPN）を確立する必要がある。UEにより専属ネットワークにアクセスするための方法は、従来技術におけるいずれかの既存の方法でもよい。これは本発明では限定されない。例えば、一般的に、システムセキュリティの向上のために、無線ルータは、ユーザに対して更なる接続処理において様々なタイプのユーザ認証情報を入力することを要求するか、或いはユーザに対してウェブブラウザを開始し、特定のwebページに入り、更なる認証操作を実行するように誘導する。これらの認証操作が完了した後に、ローカルWiFiネットワークへのUEの接続が完了し、次の操作が更に実行されてもよい。UEとコアネットワーク側デバイスとの間の接続のセキュリティ及び信頼性を確保するために、インターネットプロトコルセキュリティ（Internet  Protocol  Security、略称IPSec）に基づく仮想プライベートネットワーク（Virtual  Private  Network、略称VPN）接続は、専属ネットワーク接続ベアラに基づいて確立される必要がある。電気通信オペレータのコアネットワーク側の進化型パケットデータゲートウェイ（Evolutional  Pocket  Data  Gateway、略称ePDG）の主な機能は、モバイルネットワークを使用することによりリモートプライベートアクセスを実現するこのような接続を維持することである。IPSecは、伝送チャネルを形成するように、元のデータパケットを新たなデータパケットにカプセル化する。新たなデータパケットは、新たなアドレッシング及びルーティング情報を有してもよく、これにより、新たなデータパケットは、モバイルネットワークを使用することにより伝送されることができる。
【００５８】
UEがVPN接続を確立した後に、UEは、VPN接続を使用することにより第２の専属ネットワーク識別子をコアネットワーク側デバイスに伝送し、これにより、コアネットワーク側デバイスは、第２の専属ネットワーク識別子を検出する。
【００５９】
S402.第２の専属ネットワーク識別子が第１の専属ネットワーク識別子と同じである場合、コアネットワーク側デバイスは、第２の専属ネットワーク識別子により識別された無線ルータに対応するサービスタイプを決定し、要求サービスタイプと、無線ルータに対応するサービスタイプとを照合する。
【００６０】
S403.照合が成功した場合、コアネットワーク側デバイスは、要求サービスタイプに対応するサービスをUEに割り当てる。
【００６１】
具体的には、第１の専属ネットワーク識別子を生成した後に、コアネットワーク側デバイスは、一般的に、第１の専属ネットワーク識別子をコアネットワークアカウントシステムに記憶する。コアネットワークアカウントシステムは、コアネットワーク側デバイス内のデータベースでもよく、テーブル形式になってもよい。したがって、各コアネットワーク側デバイスに対応するテーブルは、コアネットワーク側デバイスにより記憶されている全ての第１の専属ネットワーク識別子を含む。コアネットワーク側デバイスが第２の専属ネットワーク識別子とテーブル内の第１の専属ネットワーク識別子とを検査又は照合したとき、受信した第２の専属ネットワーク識別子及び第１の専属ネットワーク識別子が同じであることを見出した場合、これは、第２の専属ネットワーク識別子に対応する無線ルータがコアネットワーク側デバイスにとって有効であることを示し、それに反して、受信した第２の専属ネットワーク識別子がテーブルに存在しないことが見出された場合、これは、第２の専属ネットワーク識別子に対応する無線ルータがコアネットワーク側デバイスにとって無効であることを示す。第２の専属ネットワーク識別子に対応する無線ルータWが有効であるとネットワーク側デバイスが決定すると、コアネットワーク側デバイスは、第２の専属ネットワーク識別子により識別された無線ルータに対応するサービスタイプを決定し続け、要求サービスタイプと、無線ルータに対応するサービスタイプとを照合する。照合が成功した場合、コアネットワーク側デバイスは、要求サービスタイプに対応するサービスをUEに割り当てる。
【００６２】
UEが識別子をコアネットワーク側デバイスに送信しない場合又はコアネットワーク側デバイスがUEにより送信された識別子を受信しない場合、コアネットワーク側デバイスは、UEがコアネットワークにアクセスすることのみを可能にするが、UEのためにターゲットを絞ったサービスを提供することができない点に留意すべきである。
【００６３】
本発明におけるターゲットを絞ったサービスは、特徴のあるストリーミングメディア音楽又はビデオサービス、いくつかの優遇の料金ポリシー等でもよい。
【００６４】
本発明のこの実施例は、コアネットワーク側デバイスにより、第２の専属ネットワーク識別子が第１の専属ネットワーク識別子と同じであるか否かを検出するステップと、第２の専属ネットワーク識別子が第１の専属ネットワーク識別子と同じである場合、第２の専属ネットワーク識別子により識別された無線ルータに対応するサービスタイプを決定し、要求サービスタイプと、無線ルータに対応するサービスタイプとを照合するステップと、照合が成功した場合、コアネットワーク側デバイスにより、要求サービスタイプに対応するサービスをUEに割り当てるステップとを含むサービス割り当て方法を提供する。コアネットワーク側デバイスは、第２の専属ネットワーク識別子に対して有効性検出を実行し得るため、通信ネットワークの信頼性及びセキュリティが向上できる。
【００６５】
UEと無線ルータとの間のアソシエーション関係が終了した場合、UEは、無線ルータの第１の専属ネットワーク識別子を削除するための要求をコアネットワーク側デバイスに送信してもよい点に留意すべきである。次に、コアネットワーク側デバイスは、第１の専属ネットワーク識別子を求めてコアネットワークアカウントシステムを検索し、第１の専属ネットワーク識別子を削除する。明らかに、コアネットワーク側デバイスは、第１の専属ネットワーク識別子に対して、追加又は削除のような操作を更に実行してもよい。
【００６６】
図５は、本発明の実施例によるサービス割り当て装置の概略構成図である。この装置は、コアネットワーク側のポリシー及び課金ルール機能ユニット（Policy  and  Charging  Rules  Function、略称PCRF）、認証、許可、アカウンティング（Authentication,  Authorization,  Accounting、略称AAA）サーバ等でもよい。この装置は、ユーザ装置UEにより送信されたアソシエーション関係に従って、第１の専属ネットワーク識別子を生成するように構成された生成モジュール501であり、アソシエーション関係は、UEと無線ルータとの間のアソシエーション関係であり、第１の専属ネットワーク識別子は、コアネットワークアカウントシステムに記憶されてアソシエーション関係を識別するために使用される生成モジュール501と、第１の専属ネットワーク識別子をUEに送信するように構成された送信モジュール502と、UEにより送信されたサービス要求メッセージを受信するように構成された受信モジュール503と、サービス要求メッセージ及び第１の専属ネットワーク識別子に従って、サービスをUEに割り当てるように構成された割り当てモジュール504とを含む。
【００６７】
生成モジュール501は、無線ルータのシリアル番号及びアソシエーション関係が存在するUEの識別子に従って、第１の専属ネットワーク識別子を生成するように具体的に構成される。
【００６８】
任意選択の方式では、生成モジュール501は、１つの無線ルータが複数のUEに対応する場合、組み合わせ識別子を生成するために、複数のUEの識別子を組み合わせ、組み合わせ識別子と無線ルータのシリアル番号とを再び組み合わせるように具体的に構成される。
【００６９】
他の任意選択の方式では、生成モジュール501は、第１の専属ネットワーク識別子を生成するために、最下位ビットから最上位ビットへ或いは最上位ビットから最下位ビットへの順序で無線ルータのシリアル番号とUEの識別子とを組み合わせるように具体的に構成される。
【００７０】
本発明のこの実施例は、サービス割り当て装置を提供する。サービス割り当て装置は、図３に対応するサービス割り当て方法の技術的実現方式を実行するように構成されてもよい。その実現原理及び技術的効果は同様であり、詳細はここでは説明しない。
【００７１】
任意選択で、前述の実施例に基づいて、サービス要求メッセージは、第２の専属ネットワーク識別子及びUEの要求サービスタイプを搬送する。図５を参照すると、割り当てモジュール504は、第２の専属ネットワーク識別子が第１の専属ネットワーク識別子と同じであるか否かを検出し、第２の専属ネットワーク識別子が第１の専属ネットワーク識別子と同じである場合、第２の専属ネットワーク識別子により識別された無線ルータに対応するサービスタイプを決定し、要求サービスタイプと、無線ルータに対応するサービスタイプとを照合し、照合が成功した場合、要求サービスタイプに対応するサービスをUEに割り当てるように具体的に構成される。
【００７２】
サービス割り当て装置は、第２の専属ネットワーク識別子に対して有効性検出を実行し得るため、通信ネットワークの信頼性及びセキュリティが向上できる。
【００７３】
図６は、本発明の他の実施例によるサービス割り当て装置の概略構成図である。この装置は、コアネットワーク側のポリシー及び課金ルール機能ユニット（Policy  and  Charging  Rules  Function、略称PCRF）、認証、許可、アカウンティング（Authentication,  Authorization,  Accounting、略称AAA）サーバ等でもよい。この装置は、ユーザ装置UEにより送信されたアソシエーション関係に従って、第１の専属ネットワーク識別子を生成するように構成されたプロセッサ601であり、アソシエーション関係は、UEと無線ルータとの間のアソシエーション関係であり、第１の専属ネットワーク識別子は、コアネットワークアカウントシステムに記憶されてアソシエーション関係を識別するために使用されるプロセッサ601と、第１の専属ネットワーク識別子をUEに送信するように構成された送信機602と、UEにより送信されたサービス要求メッセージを受信するように構成された受信機603とを含み、プロセッサ601は、サービス要求メッセージ及び第１の専属ネットワーク識別子に従って、サービスをUEに割り当てるように更に構成される。
【００７４】
さらに、プロセッサ601は、無線ルータのシリアル番号及びアソシエーション関係が存在するUEの識別子に従って、第１の専属ネットワーク識別子を生成するように具体的に構成される。
【００７５】
任意選択の方式では、プロセッサ601は、１つの無線ルータが複数のUEに対応する場合、組み合わせ識別子を生成するために、複数のUEの識別子を組み合わせ、組み合わせ識別子と無線ルータのシリアル番号とを再び組み合わせるように具体的に構成される。
【００７６】
他の任意選択の方式では、プロセッサ601は、第１の専属ネットワーク識別子を生成するために、最下位ビットから最上位ビットへ或いは最上位ビットから最下位ビットへの順序で無線ルータのシリアル番号とUEの識別子とを組み合わせるように具体的に構成される。
【００７７】
本発明のこの実施例は、サービス割り当て装置を提供する。サービス割り当て装置は、図３に対応するサービス割り当て方法の技術的実現方式を実行するように構成されてもよい。その実現原理及び技術的効果は同様であり、詳細はここでは説明しない。
【００７８】
さらに、サービス要求メッセージは、第２の専属ネットワーク識別子及びUEの要求サービスタイプを搬送する。プロセッサ601は、第２の専属ネットワーク識別子が第１の専属ネットワーク識別子と同じであるか否かを検出し、第２の専属ネットワーク識別子が第１の専属ネットワーク識別子と同じである場合、第２の専属ネットワーク識別子により識別された無線ルータに対応するサービスタイプを決定し、要求サービスタイプと、無線ルータに対応するサービスタイプとを照合し、照合が成功した場合、要求サービスタイプに対応するサービスをUEに割り当てるように具体的に構成される。
【００７９】
サービス割り当て装置は、第２の専属ネットワーク識別子に対して有効性検出を実行し得るため、通信ネットワークの信頼性及びセキュリティが向上できる。
【００８０】
当業者は、方法の実施例のステップの全部又は一部が関係するハードウェアに命令するプログラムにより実現されてもよいことを理解し得る。プログラムは、コンピュータ読み取り可能記憶媒体に記憶されてもよい。プログラムが実行すると、方法の実施例のステップが実行される。前述の記憶媒体は、ROM、RAM、磁気ディスク又は光ディスクのようなプログラムコードを記憶することができるいずれかの媒体を含む。
【００８１】
最後に、前述の実施例は、本発明を限定することを意図するものではなく、単に本発明の技術的解決策を説明することを意図するものである点に留意すべきである。本発明について前述の実施例を参照して詳細に説明したが、当業者は、本発明の実施例の技術的解決策の範囲から逸脱することなく、依然として前述の実施例に記載の技術的解決策に変更を行ってもよく、或いはその一部又は全部の技術的特徴に等価置換を行ってもよいことを理解するべきである。
【図１】
0006496423.tif 000002
【図２】
0006496423.tif 000003
【図３】
0006496423.tif 000004
【図４】
0006496423.tif 000005
【図５】
0006496423.tif 000006
【図６】
0006496423.tif 000007